(57)【特許請求の範囲】
【請求項１】
面ユニットを、これに固定のブラケットを介して、建物躯体に対して固定されたファスナーと連結したものであって、
前記ファスナーは、ベース部から上方に突出する突起部を有し、前記ブラケットは、前記突起部に上方から跨いで嵌合しており、
前記ブラケットは、ブラケット本体とその室内側に位置する別体のブラケット片とを有し、使用段階で；前記ブラケット本体とブラケット片とは一体化され、前記ブラケット本体の室内方向に向く面、下面及びブラケット片の室外方向に向く面が、前記突起部を上方から跨いで嵌合する嵌合面を形成しており、
前記ブラケット本体に上下方向の貫通溝または貫通孔による貫通部が形成され、この貫通部に前記ブラケット片が外れない状態で貫通し、前記ブラケット本体とブラケット片とはこれらを繋ぐボルトにより一体化されている
ことを特徴とするカーテンウォールの固定装置。
【請求項２】
前記ブラケット本体に上下方向の高さ調整用ボルトが螺進位置調整自在に螺合しており、その下端が突起部の上面に乗っている請求項１記載のカーテンウォールの固定装置。
【請求項３】
前記突起部の内外面に、鉛直横断面において、膨出する円弧面を有する請求項１または２記載のカーテンウォールの固定装置。
【請求項４】
面ユニットを、これに固定のブラケットを介して、建物躯体に対して固定されたファスナーと連結したものであって、
前記ファスナーは、ベース部から上方に突出する突起部を有し、前記ブラケットは、前記突起部に上方から跨いで嵌合しており、
前記ブラケットに下方に向かって開口する貫入孔が形成されており、躯体に対して固定のロッキング金具の一部が前記貫入孔に貫入していることを特徴とするカーテンウォールの固定装置。
【請求項５】
面ユニットを、これに固定のブラケットを介して、建物躯体に対して固定されたファスナーと連結したものであって、
前記ファスナーは、ベース部から上方に突出する突起部を有し、前記ブラケットは、前記突起部に上方から跨いで嵌合しており、
前記ブラケットは、面ユニットの縦枠の室内側面が当たる受け面を有することを特徴とするカーテンウォールの固定装置。
【請求項６】
前記ブラケットはアルミまたはその合金の押出し成形品である請求項１〜５のいずれか１項に記載のカーテンウォールの固定装置。
【発明の詳細な説明】
【０００１】
【発明の属する技術分野】
本発明は、カーテンウォールの固定装置に関し、さらに詳しくは、面ユニットを、ブラケットを介して、躯体に対して固定されたファスナーと連結したものである。
【０００２】
【従来の技術】
この種のカーテンウォールの固定装置としては、種々のものが知られているが、本出願人に係る特許第３０４８８３５号を代表例として挙げることができる。
【０００３】
これは、躯体に埋設固定されたベースプレートに対して、アングル部材よりなるファスナーが固定用ボルトにより固定され、さらにこのファスナーに対してボルト等を介して面ユニットが固定されるものである。
【０００４】
さらに、具体的には、アングル部材よりなるファスナーの起立片に対して引きボルトと押しボルトとを並べて２組配置するとともに、ファスナーの起立片の上端部に自重受け材を溶接固定し、一方、面ユニットに対してアングル部材よりなるブラケットをボルトにより固定するとともに、このブラケットに前記自重受け材と対峙する張出片を溶接固定し、さらにこの張出片に自重受けボルトが螺設されるナットを溶接固定する。そして、自重受けボルトの先端を自重受け材の水平面に対して当接させた状態で面ユニットを取付け、面ユニットの自重を支持させるとともに、自重受けボルトの螺進量により面ユニットの上下方向の位置調整が行われる。また、前記引きボルトがユニット側のブラケットの起立フランジに対して連結された引きボルトと、ブラケットの鉛直面に先端が当接する押しボルトとにより両ボルトの螺進量を調整することによりパネル面に直交する方向の出入り量が調整されるようになっている。
【０００５】
この例のほか、引きボルトと押しボルトとの組み合わせによることなく、ブラケットの起立フランジとファスナーの起立片との間に、Ｒライナー（扁板状ライナー）を介在させ、これらを連結する連結ボルトの締め付け度合いにより、パネル面に直交する方向の出入り量を調整する場合などもある。
【０００６】
【発明が解決しようとする課題】
いずれにしても、上記各部材は部材点数が多く、その管理に多大な手間とコストを要し、また、鋼製のものを溶接により固定する部分が多く、溶接精度管理が難しく、さらに、現場での位置の調整、及びボルトの締め付けトルク調整（特に風荷重受けボルトの締め付けトルクの微妙な調整）に多大な手間と時間を要する。
【０００７】
したがって、本発明の主たる課題は、カーテンウォールユニットの取付けとその位置調整がきわめて容易となり、しかも部材点数が少なく、多くの部材をアルミ（アルミ合金）押出成形品とすることができるカーテンウォールの固定装置を提供することにある。
【０００８】
【課題を解決するための手段】
上記課題を解決した本発明は次記のとおりである。
＜請求項１項記載の発明＞
面ユニットを、これに固定のブラケットを介して、建物躯体に対して固定されたファスナーと連結したものであって、
前記ファスナーは、ベース部から上方に突出する突起部を有し、前記ブラケットは、前記突起部に上方から跨いで嵌合しており、
前記ブラケットは、ブラケット本体とその室内側に位置する別体のブラケット片とを有し、使用段階で；前記ブラケット本体とブラケット片とは一体化され、前記ブラケット本体の室内方向に向く面、下面及びブラケット片の室外方向に向く面が、前記突起部を上方から跨いで嵌合する嵌合面を形成しており、
前記ブラケット本体に上下方向の貫通溝または貫通孔による貫通部が形成され、この貫通部に前記ブラケット片が外れない状態で貫通し、前記ブラケット本体とブラケット片とはこれらを繋ぐボルトにより一体化されている
ことを特徴とするカーテンウォールの固定装置。
【０００９】
＜作用効果＞
ブラケットは、ファスナーのベース部から上方に突出する突起部に、上方から跨いで嵌合していることにより、面ユニットの内外方向の移動が規制され、従来のように、ボルトにより、ブラケットとファスナーの起立片とを連結することが不要となる。
ブラケットをファスナーの突起部に上方から跨いで嵌合させるために、ブラケットが一体品であるほか、本形態のように、ブラケットを、ブラケット本体とその室内側に位置する別体のブラケット片とにより形成することにより、ブラケットをファスナーの突起部に上方から跨いで嵌合させるに際して、ブラケット片を後に上方から挿入することにより、挿入作業が容易となる。
ブラケット片をブラケット本体の貫通部に貫通させる形態を採ることにより、ユニットの設置と同時にあるいはユニットの設置の後に、ブラケット片を前記貫通部に挿通すれば、ブラケット全体としてファスナーの突起部に上方から跨いで嵌合させることができる。しかも、ブラケット片は挿通可能、すなわちスライド可能あるから、ブラケットは仮保持位置に保持でき、ユニットの高さ調整後に、ファスナー基部上面の位置に合わせて挿通深さを設定でき、これによりファスナーの突起部とは常にある高さ方向長さのかかり代を確保でき、安定したユニットの固定態様となる。最終的には、ブラケット本体とブラケット片とをボルトにより一体化させることにより、ブラケット片の抜け止めを図ることができる。
【００１０】
＜請求項２項記載の発明＞
前記ブラケット本体に上下方向の高さ調整用ボルトが螺進位置調整自在に螺合しており、その下端が突起部の上面に乗っている請求項１記載のカーテンウォールの固定装置。
【００１１】
＜作用効果＞
面ユニットの高さ位置は、高さ調整用ボルトの螺進位置調整により調整できる。そして、ブラケット自体に高さ調整用ボルトのネジ孔が形成されているので、従来のように、ブラケットに張出片を溶接固定しておく必要はなく、溶接作業手間がなく、部材点数を削減できる。
【００１２】
＜請求項３項記載の発明＞
前記突起部の内外面に、鉛直横断面において、膨出する円弧面を有する請求項１または２記載のカーテンウォールの固定装置。
【００１３】
＜作用効果＞
突起部の内外面に、鉛直横断面において、膨出する円弧面を有することで、ブラケットを突起部に上方から跨いで嵌合させるとき、容易に嵌合させることができ、しかも、ファスナーの突起部の起立方向に対する面ユニットの鉛直面からの若干の角度誤差が生じたとしても、確実にその誤差を吸収できる。
【００１４】
＜請求項４項記載の発明＞
面ユニットを、これに固定のブラケットを介して、建物躯体に対して固定されたファスナーと連結したものであって、
前記ファスナーは、ベース部から上方に突出する突起部を有し、前記ブラケットは、前記突起部に上方から跨いで嵌合しており、
前記ブラケットに下方に向かって開口する貫入孔が形成されており、躯体に対して固定のロッキング金具の一部が前記貫入孔に貫入していることを特徴とするカーテンウォールの固定装置。
【００１５】
＜作用効果＞
ブラケットに下方に向かって開口する貫入孔が形成されており、躯体に対して固定のロッキング金具の一部が前記貫入孔に貫入していることで、ロッキング構造を容易に採ることができるとともに、部材点数が少ないものとなる。
【００１６】
＜請求項５項記載の発明＞
面ユニットを、これに固定のブラケットを介して、建物躯体に対して固定されたファスナーと連結したものであって、
前記ファスナーは、ベース部から上方に突出する突起部を有し、前記ブラケットは、前記突起部に上方から跨いで嵌合しており、
前記ブラケットは、面ユニットの縦枠の室内側面が当たる受け面を有することを特徴とするカーテンウォールの固定装置。
【００１７】
＜作用効果＞
ブラケットには、面ユニットの縦枠の室内側面が当たる受け面を有するので、面ユニットが受ける風荷重を、受け止め、しかも、ブラケットは、ファスナーの突起部に上方から跨いで嵌合しているので、内外方向の移動を確実にファスナーで受け止めて規制できるので、安定したカーテンウォールの固定構造となる。
【００１８】
＜請求項６項記載の発明＞
前記ブラケットはアルミまたはその合金の押出し成形品である請求項１〜５のいずれか１項に記載のカーテンウォールの固定装置。
【００１９】
＜作用効果＞
ブラケットがアルミまたはその合金の押出し成形品であることにより、部材点数の大幅な削減を図ることができるとともに、従来の溶接固定部が不要となり、生産性が高まり、しかも寸法誤差を生じることがなくなり、品質的に保証されたものとなる。
【００２０】
【００２１】
【００２２】
【００２３】
【００２４】
【発明の実施の形態】
以下本発明の実施の形態を図面を参照しながらさらに詳説する。図１は要部縦断面図、図２はその要部拡大図、図３は要部水平断面図、図４はその要部拡大図、図５は室内側からの視図である。
実施の形態のカーテンウォールは、躯体１に、たとえばＨ形鋼１Ａ、これに固定の起立アンカー１Ｂ及び水平アンカー１Ｃに、ファスナー１０が固定ボルト１３，１３により固定されている。このファスナー１０に対して、面ユニット（以下、単にユニットという）２０…が固定されたユニット式カーテンウォールである。なお、ユニット２０は中間に水平中骨２１を有し、２パネル１ユニットのタイプである。
【００２５】
ユニット２０は、上枠（図示せず）、水平中骨２１、下枠（図示せず）、左右縦枠２２、２３（左右とは室外側から見て）によって構成される枠フレームと、この枠フレームに嵌め込まれるガラス、ミラーガラス、タイル、石板、陶板等の上側パネルＧ1 および下側パネルＧ2 （パネルＧとも言う。）と、押縁２４とを基本構成とされ、これら部材が工場において組み立てられ、ユニット化された状態で現場に搬入される。２５は耐火ボードである。なお、ユニットは上記形態に限定されず、たとえば上枠、下枠及び左右縦枠のみによって構成される枠フレームを有するものなどでもよい。
【００２６】
このユニット２０に対して、さらに工場において、あるいは現場にて、本発明の左右ブラケット３０、４０が左右縦枠２２、２３にそれぞれ固定ボルト（ナットも含めて言う）３１、４１により固定される。
【００２７】
左右に関し、基本構成は同じであるので、以下では、断りのない限り、右ユニットの左側端部分について説明を進める。
【００２８】
しかるに、先にファスナー１０について説明すると、アンカー１Ｃに形成された左右方向の鍵穴状貫通孔１Ｃａ、及びファスナー１０のベース部１１に形成された内外方向の長孔１１ａに固定ボルト１３が挿通され、ファスナー１０の左右位置及び出入り位置を調整されながら、ナット締結により、躯体１に対して固定されている。
【００２９】
ファスナー１０のベース部１１の室外側から突起部１２が一体的に突出している。突起部１２は、上端部が室内側に向いたフック状をなし、その上面は平坦面とされている。この平坦面に繋がって、突起部の内外面に、鉛直横断面において、膨出する円弧面１２Ａ，１２Ａが形成されている。また突起部１２の上端部が室内側に向いたフック状をなしていることにより、後述するロッキング金物５０のワッシャー係止溝１２Ｂが形成されている。
【００３０】
さて、典型的に図２に明示されているように、ブラケット３０は、ファスナー１０の突起部１２に上方から跨いで嵌合している。実施の形態のブラケット３０は、下方に向かって開口する貫入孔が形成されており、躯体に対して固定のロッキング金具の一部が前記貫入孔に貫入している（ブラケット４０についても同様であることは前述のとおりである）。ブラケット３０は、アルミまたはその合金の押出し成形品からなり、ブラケット本体３２とその室内側に位置する別体のブラケット片３３とを有する。使用段階で；すなわち図示のように、ブラケット本体３２とブラケット片３３とは止め付けボルト３４により一体化され、ブラケット本体３２の室内方向に向く面３２Ａ、下面３２Ｂ及びブラケット片３３の室外方向に向く面３３Ａが、突起部１２を上方から跨いで嵌合する嵌合面を形成している。
【００３１】
他方、ブラケット３０の平面形状は、典型的に図４に明示されているように、まず、ブラケット本体３２に関しては、室外側に縦枠２２と固定ボルト３１と連結するための基端片部３２ａを有し、その先端側から他方のユニットに張出して張出し受け片部３２ｂが形成されている。この張出し受け片部３２ｂは、面ユニット２０の縦枠２２の室内側面が当たる受け面とされている。さらに、張出し受け片部３２ｂの先端には、縦枠２２の室内側面に繋がる側面を係止関係にする爪片部３２ｃが形成されている。
【００３２】
ブラケット本体３２の中央部から室内側先端にかけては、アルミまたはその合金の押出し成形品を切除することにより、図２にも示されているように、ブラケットの下面が基端片部３２ａの下面より上に位置するように形成されている。中央部には、ボックス形状部３２ｄが形成され、そのホロー部は上下に開口する貫入孔３２ｅとされ、躯体１に対して固定のロッキング金具５０の一部、すなわちその貫入部５１（図５参照）が貫入孔３２ｅに貫入している。ボックス形状部３２ｄの貫入孔３２ｅの３面には、内方に膨出して円弧凸条が形成され、貫入部５１の貫入を容易にし、ロッキング支持を都合よいものにしている。
【００３３】
このボックス形状部３２ｄの側方にはビスポケット状のボルト保持部３２ｆが形成され、このボルト保持部３２ｆに、上下方向の高さ調整用ボルト６０が挿入され、上下のナット６１、６１によって螺進位置調整自在に螺合している。高さ調整用ボルト６０の下端は、図２に示されているように、ファスナー１０の突起部１２の上面に乗っている。ボルト保持部３２ｆは、ボルト軸部が回動自在に挿通されるほか、予めメネジ孔が形成され、あるいは、高さ調整用ボルト６０の強制的な螺入によりタップメネジ孔が形成されるなどして、調整用ボルト６０と螺合してもよく、その螺進位置調整自在に螺合している。これにより、面ユニット２０の高さ位置を調整するようにしてある。調整後はナット６１、６１により固定が図られる。
【００３４】
ボックス形状部３２ｄの先端側には、上下方向に連なるリップ溝状部３２ｇが形成され、そのリップ溝部３２ｈを貫通部として、ブラケット片３３が外れない状態で、実施の形態では係止脚部３３ａ，３３ａが係合状態で貫通し、図２も参照されるように、ファスナー１０のベース部１１の上面に当接するまで落とし込まれ、その後に、ブラケット本体３２とブラケット片３３とはこれらを繋ぐ、止め付けボルト３４により一体化されている。図４に示されているように、ブラケット片３３外面には、膨出する円弧面３３ｂが形成され、突起部１２と線接触するようにしてある。
【００３５】
なお、図２に図示の符号３２ｉはユニット２０の吊孔部、３２ｊは、工場出荷段階で、ブラケット片３３をブラケット本体３２に仮止めしておくビスである。
【００３６】
（固定作業）
面ユニット２０の躯体１に対する固定に際しては、一般的に、まず、躯体１にファスナー１０を仮固定する。これに対して、ブラケット３０が取り付けられた、すなわち、ブラケット本体３２及び仮止めビス３２ｊにより仮止めされたブラケット片３３の両者が取り付けられた、面ユニット２０を、現場に持ち込む。このとき、面ユニット２０の吊り下げのために、ブラケット３０の側面に形成した揚重用孔５４を介して吊り下げながら、面ユニット２０を、現場に持ち込むようにしてある。この吊り下げ状態で、ブラケット３０を、ブラケット本体３２の室内方向に向く面３２Ａ、下面３２Ｂ及びブラケット片３３の室外方向に向く面３３Ａを、突起部１２を上方から跨いで嵌合させる。その後、高さ調整用ボルト６０の下端を、ファスナー１０の突起部１２の上面に乗らせた状態で、高さ調整用ボルト６０の螺進位置を調整し、面ユニット２０の高さ位置を調整する。調整後はナット６１、６１により固定を図る。また、仮止めビス３２ｊを外し、ブラケット片３３の下端がベース部１１の上面に当接するように位置決めし、タッピング機能を有する、止め付けボルト３４により強制的にネジを形成しながら止め付け、ブラケット本体３２とブラケット片３３との一体化を図る。
【００３７】
他方、図５に示したように、予め、Ｌ字状のロッキング金具５０の一片を、突起部１２の上面（頂面）に当て、ワッシャー係止溝１２Ｂにワッシャー５２を挿入し、これらを固定ボルト５３により固定しておき、ブラケット３０の設置の段階で、ロッキング金具５０の他片としての貫入部５１が貫入孔３２ｅに相対的に貫入させる。
【００３８】
このように、ブラケット片３２がファスナー１０の突起部１２に支持される結果、前記突起部１２の頂面より下側に位置するブラケット片３３の長さＬは、その突起部１２の頂面に設けられたロッキング金具５０の鉛直方向露出部長さｌよりも大きいので、地震に伴う層間変位により、ロッキングして持ち上がるユニットの端部に対しても十分な係止状態を維持できる。ロッキング金具５０は面ユニットの左右支持部に対してどちらか一方に取り付けることで足りる。
【００３９】
その後または途中の過程において、必要な位置調整及びボルト締めなどの作業が行われる。
【００４０】
一方、左方のユニット２０についても、同様に共通のファスナー１０に対してブラケット本体４２とブラケット片４３からなるブラケット４０により固定が図られる。このとき、隣接する縦枠２２と縦枠２３とは、張出し片が食い違い状態でセットされ、その張出し片の重ね合わせ部分が成形シール材などによりシールされる。この形態については、図示をもって詳しい説明を省略する。
【００４１】
（他の形態）
上記の形態では、施工性の簡便を図るために、ブラケット本体３２とブラケット片３３とは別体であるが、一体化されていることも可能である。また、ブラケット本体３２のリップ溝状部３２ｇに代えて、すなわち貫通溝に代えて、中空孔による貫通孔とし、これに挿通できるブラケット片を用いてもよい。ビスポケット状のボルト保持部３２ｆについても、溝に代えて、中空孔による貫通孔でもよい。上記の実施の形態では、左右のブラケット３０、４０に対して共通のファスナー１０を用いているが、必要ならば、個別的に専用のファスナーを用意することも可能である。場合により、左右のブラケット本体３２、４２に対して、共通のブラケット片を落とし込み、固定を図ることもできる。
【００４２】
【発明の効果】
以上のとおり、本発明によれば、部材点数が少なく、多くの部材をアルミ（アルミ合金）押出成形品とすることができ、しかも位置調整がきわめて簡易となる。
【図面の簡単な説明】
【図１】要部縦断面図である。
【図２】その要部拡大図である。
【図３】は要部水平断面図である。
【図４】その要部拡大図である。
【図５】室内側からの視図である。
【符号の説明】
１…躯体、１０…ファスナー、１１…ベース部、１２…突起部、１２Ａ…円弧面、１３…固定ボルト、２０…（面）ユニット、２１…水平中骨、２２…左縦枠、２３…右縦枠、３０，４０…ブラケット、３２，４２…ブラケット本体、３２ａ…基端片部、３２ｂ…張出し受け片部、３２ｄ…ボックス形状部、３２ｅ…貫入孔、３２ｆ…ボルト保持部、３２ｇ…リップ溝状部、３２ｈ…リップ溝部、３３ａ…係止脚部、３３，４３…ブラケット片、３４…止め付けボルト、５０…ロッキング金具、５１…貫入部、６０…高さ調整用ボルト。
【図１】
0003886032.tif 000002
【図２】
0003886032.tif 000003
【図３】
0003886032.tif 000004
【図４】
0003886032.tif 000005
【図５】
0003886032.tif 000006